(57)【要約】【課題】試料や試薬の無駄を低減し、検査の遅延を低減することができる自動分析装置を提供する。【解決手段】試料及びこの試料に設定された検査項目の試薬を反応容器３内に分注し、その試料及び試薬の混合液を測定する分析部２４と、分析部２４の各ユニットを作動させる分析制御部２７と、分析部２４での測定に必要な電力を供給する電源ユニット８１と、電源ユニット８１に電力を供給する第１の電源１１０を監視して第１の電源１１０の異常を検出する第１の検出器８２と、電源ユニット８１に電力を供給する充電可能に設けられた第２の電源８３の容量を検出する第２の検出器８４とを備え、分析制御部２７は、第１の電源異常が検出されたときの第２の電源８３の充電残量に基づいて、分析部２４で測定を行わせる検査項目を決定する。【選択図】  図３
2015021831.tif 000002
【特許請求の範囲】
【請求項１】
試料及びこの試料に設定された検査項目の試薬を反応容器内に分注し、前記反応容器内の試料及び試薬の混合液を測定する分析部を備えた自動分析装置において、
前記分析部での測定に必要な電力を供給する電源ユニットと、
前記電源ユニットに電力を供給する第１の電源を監視して第１の電源異常を検出する第１の検出器と、
前記電源ユニットに電力を供給する充電可能に設けられた第２の電源の容量を検出する第２の検出器と、
前記第２の検出器により検出された前記第１の電源異常が検出されたときの充電残量に基づいて、前記検査項目のうちの前記分析部で測定を行わせる検査項目を決定する分析制御部とを
備えたことを特徴とする自動分析装置。
【請求項２】
前記第１の電源異常が検出されたとき、前記電源ユニットに電力を供給する電源を前記第１の電源から前記第２の電源に切り替える切替部を有することを特徴とする請求項１に記載の自動分析装置。
【請求項３】
前記分析制御部は、
前記第１の電源異常が検出されたときに前記試料又は試薬の少なくともいずれか一方が分注された測定途中の状態にある全ての検査項目の測定を終了させるために必要な測定途中分の電力量を算出し、
前記充電残量から前記測定途中分の電力量を差し引いた測定途中残量が予め設定された警告残量よりも小さい場合、前記第１の電源異常が検出されたときに前記試料及び試薬が分注されていない未着手の状態にある検査項目の測定を停止させ、前記第２の電源の容量が前記警告残量に減少するまでの間、前記測定途中の状態にある検査項目の測定を続行させることを特徴とする請求項１又は請求項２に記載の自動分析装置。
【請求項４】
前記分析制御部は、
前記測定途中残量が前記警告残量以上である場合、前記未着手の状態にある全ての検査項目の測定を終了させるために必要な未着手分の電力量を算出し、
前記測定途中残量から前記未着手分の電力量を差し引いた未着手残量が前記警告残量よりも小さい場合、前記測定途中の状態にある全ての検査項目の測定を終了させ、前記第２の電源の容量が前記警告残量に減少するまでの間、前記未着手の状態にある検査項目をこの検査項目が設定された被検試料の優先順位の高い順に測定させることを特徴とする請求項３に記載の自動分析装置。
【請求項５】
前記優先順位の高い試料は、設定された全ての検査項目のうちの一部の検査項目が未着手の状態にある試料であることを特徴とする請求項４に記載の自動分析装置。
【請求項６】
前記優先順位の高い試料は、緊急性を要する試料又は微量の試料であることを特徴とする請求項４に記載の自動分析装置。
【請求項７】
前記分析制御部は、前記未着手残量から前記警告残量に減少するまでの間に測定を終了させることができる前記未着手の状態にある検査項目の数を求め、前記優先順位の高い試料のうち、設定された全ての検査項目の測定が終了する試料測定終了のタイミングで前記分析部の測定を停止させることを特徴とする請求項４乃至請求項６のいずれかに記載の自動分析装置。
【請求項８】
前記分析制御部は、前記未着手残量が前記警告残量以上である場合、前記測定途中の状態にある全ての検査項目の測定を終了させ、前記未着手の状態にある全ての検査項目の測定を終了させることを特徴とする請求項４乃至請求項７のいずれかに記載の自動分析装置。
【請求項９】
前記反応容器に分注される試薬を保冷する試薬庫を有し、
前記電源ユニットは、前記第１の電源異常が検出されたとき、前記試薬庫への電力の供給を停止することを特徴とする請求項１乃至請求項８のいずれかに記載の自動分析装置。
【請求項１０】
前記電源ユニットは、前記分析部の測定が終了した後、前記第１の電源が異常である間、前記第２の電源の容量が前記警告残量よりも高い場合に前記分析部の一部のユニット以外への電力の供給を停止し、前記第２の電源の容量が前記警告残量以下である場合に前記一部のユニットを含むユニットへの電力の供給を停止することを特徴とする請求項１乃至請求項９のいずれかに記載の自動分析装置。
【請求項１１】
前記一部のユニットは、前記反応容器に光を照射して前記混合液を測定する測定部及び前記混合液を所定の温度に保持するための恒温部であることを特徴とする請求項１０に記載の自動分析装置。
【発明の詳細な説明】
【技術分野】
【０００１】
本発明の実施形態は、被検体から採取された試料に含まれる成分を分析する自動分析装置に関する。
【背景技術】
【０００２】
自動分析装置は生化学検査項目や免疫検査項目等を対象とし、被検体から採取された試料と各検査項目の試薬との混合液の反応によって生ずる色調や濁りの変化を、分光光度計や比濁計等の測光部で光学的に測定することにより、試料に含まれる各検査項目成分の濃度や酵素の活性等で表される分析データを生成する。
【０００３】
この自動分析装置は、試料容器や試薬容器に収容された試料や試薬を反応容器に分注して反応容器内の試料と試薬の混合液を測定する分析部と、分析部で測定を行わせるための電力を供給する電源ユニットとを備えている。そして、電源ユニットには、商用電源等の外部電源から電力が供給される。
【先行技術文献】
【特許文献】
【０００４】
【特許文献１】特開２００７−２５６０８４号公報
【発明の概要】
【発明が解決しようとする課題】
【０００５】
しかしながら、分析部の測定中に外部電源に異常が発生し、電源ユニットへの電力の供給が停止すると、反応容器に試料又は試薬が分注された測定途中の状態にある検査項目の試料や試薬が無駄になる問題がある。また、外部電源から電力の供給が再開されると、測定途中の検査項目を再度測定させる必要があるため、検査に時間がかかる問題がある。
【０００６】
実施形態は、上記問題点を解決するためになされたもので、試料や試薬の無駄を低減し、検査の遅延を低減することができる自動分析装置を提供することを目的とする。
【課題を解決するための手段】
【０００７】
上記目的を達成するために、実施形態の自動分析装置は、試料及びこの試料に設定された検査項目の試薬を反応容器内に分注し、前記反応容器内の試料及び試薬の混合液を測定する分析部を備えた自動分析装置において、前記分析部での測定に必要な電力を供給する電源ユニットと、前記電源ユニットに電力を供給する第１の電源を監視して第１の電源異常を検出する第１の検出器と、前記電源ユニットに電力を供給する充電可能に設けられた第２の電源の容量を検出する第２の検出器と、前記第２の検出器により検出された前記第１の電源異常が検出されたときの充電残量に基づいて、前記検査項目のうちの前記分析部で測定を行わせる検査項目を決定する分析制御部とを備えたことを特徴とする。
【図面の簡単な説明】
【０００８】
【図１】実施形態に係る自動分析装置の構成を示すブロック図。
【図２】実施形態に係る分析部の構成を示す斜視図。
【図３】実施形態に係る電源部の構成を示すブロック図。
【図４】実施形態に係る第２の電源の容量を示す図。
【図５】実施形態に係る表示部に表示される優先順位設定画面の一例を示す図。
【図６】実施形態に係る自動分析装置の動作を示すフローチャート。
【図７】実施形態に係る未着手の状態にある検査項目を優先順位の高い順に測定させる１つめの例を説明するための図。
【図８】実施形態に係る未着手の状態にある検査項目を優先順位の高い順に測定させる２つめの例を説明するための図。
【発明を実施するための形態】
【０００９】
以下、図面を参照して実施形態を説明する。
【００１０】
図１は、実施形態に係る自動分析装置の構成を示したブロック図である。この自動分析装置１００は、各検査項目の標準試料や被検体から採取された被検試料と各検査項目の試薬との混合液を測定する自動分析装置本体７０と、商用電源等の第１の電源１１０から供給される電力により自動分析装置本体７０の各ユニットに電力を供給する充電可能に設けられた電源部８０とを備えている。
【００１１】
自動分析装置本体７０は、各検査項目の標準試料や被検試料と各検査項目の試薬との混合液を測定して標準データや被検データを生成する分析部２４と、分析部２４の各ユニットを移動する移動機構部２６と、移動機構部２６を制御する分析制御部２７と、分析部２４で生成された標準データや被検データを処理して検量データや分析データを生成するデータ処理部３０とを備えている。
【００１２】
また、自動分析装置本体７０は、データ処理部３０で生成された検量データや分析データを出力する出力部４０と、各検査項目の分析パラメータの入力や、検査を受け付けた被検体より採取される検査対象の被検試料に診断に必要な検査項目を設定するための入力等を行う操作部５０と、分析制御部２７、データ処理部３０、出力部４０、及び電源部８０を統括して制御するシステム制御部６０とを備えている。
【００１３】
図２は、分析部２４の構成を示した斜視図である。この分析部２４は、標準試料や被検試料等の試料を収容する試料容器１７を備えている。また、標準試料、緊急を要する被検試料（緊急試料）、及び小児等から採取された微量の被検試料（微量試料）等の試料を収容する試料容器１７を保持するサンプルディスク５を備えている。また、一般の被検試料（一般試料）を収容する試料容器１７を保持するサンプルラック１８を備えている。
【００１４】
また、試料に含まれる検査項目成分と反応する成分を含有する試薬である１試薬系又は２試薬系の第１試薬を収容する試薬容器６と、試薬容器６を移動可能に保持する試薬ラック１ａと、試薬ラック１ａに保持された試薬容器６を保冷する試薬庫１とを備えている。また、２試薬系の第１試薬と対をなす第２試薬を収容する試薬容器７と、試薬容器７を移動可能に保持する試薬ラック２ａと、試薬ラック２ａに保持された試薬容器７を保冷する試薬庫２とを備えている。
【００１５】
また、試料容器１７及び試薬容器６，７から分注される試料、第１試薬及び第２試薬を収容する複数の反応容器３と、この反応容器３を保持する反応ディスク４とを備えている。また、反応容器３内の試料及び第１試薬の混合液や、試料、第１試薬及び第２試薬の混合液を昇温して所定の温度に保持する恒温部２０を備えている。
【００１６】
また、サンプルディスク５やサンプルラック１８に保持された試料容器１７内の試料をこの試料に設定された検査項目毎に吸引して反応容器３内へ吐出する分注を行うサンプル分注プローブ１６と、サンプル分注プローブ１６を保持するサンプル分注アーム１０とを備えている。また、試薬ラック１ａに保持された試薬容器６内の第１試薬を吸引して反応容器３内に吐出する分注を行う第１試薬分注プローブ１４と、第１試薬分注プローブ１４を保持する第１試薬分注アーム８とを備えている。
【００１７】
また、試薬ラック２ａに保持された試薬容器７内の第２試薬を吸引して第１試薬が分注された反応容器３内に吐出する分注を行う第２試薬分注プローブ１５と、第２試薬分注プローブ１５を保持する第２試薬分注アーム９とを備えている。また、反応容器３に光を照射して混合液を測定する測定部１３と、測定部１３での測定が終了した反応容器３内を洗浄する洗浄ノズル１２とを備えている。
【００１８】
そして、測定部１３は、回転移動している測定位置の反応容器３に光を照射し、反応容器３内の標準試料を含む混合液や被検試料を含む混合液を透過した光を検出する。次いで、検出した信号を処理して例えば吸光度で表される各検査項目の標準データや被検データを生成してデータ処理部３０に出力する。
【００１９】
図１の移動機構部２６は、分析部２４の各ユニットを１サイクルタイム毎に移動する各機構を備えている。そして、サンプルディスク５やサンプルラック１８をそれぞれ駆動して試料容器１７を移動する。また、試薬ラック１ａ及び試薬ラック２ａをそれぞれ駆動して、試薬容器６及び試薬容器７を移動する。また、反応ディスク４を駆動して各反応容器３を回転移動する。また、サンプル分注アーム１０、第１試薬分注アーム８及び第２試薬分注アーム９をそれぞれ回動及び上下駆動して、サンプル分注プローブ１６、第１試薬分注プローブ１４及び第２試薬分注プローブ１５を水平方向及び上下方向に移動する。また、洗浄ノズル１２を上下移動する。
【００２０】
分析制御部２７は、操作部５０から入力される各検査項目の分析パラメータや被検試料毎に設定された検査項目等の入力情報に基づいて、移動機構部２６を制御して分析部２４の各ユニットを１サイクルタイム毎に移動させる。また、分析部２４でサンプル分注プローブ１６による試料の分注、第１試薬分注プローブ１４による第１試薬の分注、第２試薬分注プローブ１５による第２試薬の分注、又は測定部１３による測定の少なくともいずれか１つが行われている測定中に第１の電源１１０に異常が発生したとき、予め設定された分析部２４の各ユニットの移動に必要な電力量及び電源部８０で充電された充電残量に基づいて、検査対象の被検試料に設定された検査項目のうち、分析部２４で測定を行わせる検査項目を決定する。
【００２１】
そして、分析部２４で測定を行わせる検査項目を決定するために、被検試料又は試薬の少なくともいずれか一方が反応容器３に分注された測定途中の状態にある全ての検査項目の、一方だけが分注されている場合には他方も一方が分注された反応容器３に分注させて測定を終了させるために必要な電力量（測定途中分の電力量）を算出する。また、検査対象の被検試料に設定された検査項目のうち、第１の電源１１０に異常が発生したときに反応容器３に被検試料及び試薬が分注されていない未着手の状態にある全ての検査項目の、被検試料及び試薬を分注させて測定を終了させるために必要な電力量（未着手分の電力量）を算出する。
【００２２】
データ処理部３０は、分析部２４の測定部１３で生成された標準データや被検データを処理して各検査項目の検量データや分析データを生成する演算部３１と、演算部３１で生成された標準データや分析データを保存するデータ記憶部３２とを備えている。
【００２３】
演算部３１は、測定部１３で生成された標準データ及び標準試料に予め設定された標準値に基づいて各検査項目の検量データを生成し、生成した検量データを出力部４０に出力すると共にデータ記憶部３２に保存する。また、測定部１３で生成された被検データに対応する検査項目の検量データをデータ記憶部３２から読み出して濃度値や酵素の活性値として表される分析データを検査項目毎に生成する。そして、生成した分析データを出力部４０に出力すると共にデータ記憶部３２に保存する。
【００２４】
データ記憶部３２は、ハードディスク等のメモリデバイスを備え、演算部３１から出力された検量データを検査項目毎に保存する。また、演算部３１から出力された各検査項目の分析データを被検試料毎に保存する。
【００２５】
出力部４０は、データ処理部３０の演算部３１から出力された検量データや分析データを印刷出力する印刷部４１及び表示出力する表示部４２を備えている。また、第１の電源１１０に異常時にアラームを発生する警報部４３を備えている。そして、印刷部４１は、プリンタなどを備え、演算部３１から出力された検量データや分析データを予め設定されたフォーマットに従って、プリンタ用紙などに印刷する。
【００２６】
表示部４２は、ＣＲＴや液晶パネルなどのモニタを備え、演算部３１から出力された検量データや分析データを表示する。また、検査項目毎に分析パラメータを設定するための分析パラメータ設定画面、被検試料毎にこの被検試料を識別する氏名やＩＤ等の識別情報や検査項目を設定するための検査項目設定画面を表示する。また、第１の電源１１０に異常が発生したときに測定を優先させる被検試料の優先順位を設定するための優先順位設定画面等を表示する。
【００２７】
操作部５０は、キーボード、マウス、ボタン、タッチキーパネルなどの入力デバイスを備え、各検査項目の分析パラメータを設定するための入力、検査対象の被検試料の識別情報の入力、検査対象の被検試料に検査項目を設定するための入力、被検試料の優先順位を設定するための入力を行う。また、自動分析装置本体７０に電力を供給させる電源投入、自動分析装置本体７０への電力の供給を一部のユニットを除いて停止させる電源切断の入力等を行う。
【００２８】
システム制御部６０は、ＣＰＵ及び記憶回路を備え、操作部５０から入力された各検査項目の分析パラメータ、検査対象の被検試料の識別情報及び検査項目、被検試料の優先順位等の入力情報を記憶回路に記憶した後、これらの入力情報に基づいて、分析制御部２７、データ処理部３０、出力部４０及び電源部８０を統括してシステム全体を制御する。
【００２９】
図３は、電源部８０の構成を示したブロック図である。この電源部８０は、自動分析装置本体７０の各ユニットへ交流や直流の電力を停止可能に供給する電源ユニット８１と、電源ユニット８１へ電力を供給する第１の電源１１０を監視する第１の検出器８２とを備えている。また、電源ユニット８１へ電力を供給する充電可能に設けられた第２の電源８３と、第２の電源８３の容量を検出する第２の検出器８４とを備えている。
【００３０】
また、電源部８０は、第１の電源１１０から第２の電源８３への電力の供給及び停止を可能とするスイッチ８５と、電源ユニット８１へ電力を供給する電源を第１の電源１１０又は第２の電源８３の一方の電源から他方の電源に切り替える切替部８６と、電源ユニット８１、第２の電源８３、スイッチ８５及び切替部８６を制御する電源制御部８７とを備えている。
【００３１】
電源ユニット８１は、第１の電源１１０又は第２の電源８３から供給される電力を変換するコンバータ、電圧を変換する電圧変換回路及び自動分析装置本体７０の各ユニットへ交流の電力や直流の電力の供給及び停止を可能とする複数のスイッチ、切替部８６が第２の電源８３に切り替えるときの瞬間の電圧低下を防ぐためのキャパシタ等を備えている。そして、操作部５０から電源切断の入力が行われると、分析部２４の第１及び第２試薬の保冷が必要な試薬庫１，２等の一部のユニット以外のユニットへの電力の供給を停止する。
【００３２】
また、操作部５０から電源投入が行われると、分析部２４を測定が可能な状態で待機させるために、測定部１３に光の照射に必要な電力を供給する。また、恒温部２０に熱媒体を所定の温度に保持するための電力を供給する。また、自動分析装置本体７０の分析部２４以外の各ユニットを待機状態にする電力を供給する。
【００３３】
また、電源ユニット８１は、操作部５０から分析部２４で測定を開始させる測定開始の入力が行われると、待機状態での供給に加えて、分析部２４で被検試料及び試薬を分注させてから被検データを生成させるまでの測定動作、データ処理部３０で分析データを生成させるデータ処理動作、及び出力部５０で分析データを出力させる出力動作等の検査に必要な電力を供給する。
【００３４】
第１の検出器８２は、第１の電源１１０の例えば電圧を監視する。そして、第１の電源１１０を監視した電圧値が停電等により低下して電源ユニット８１が正常に動作可能な下限値よりよりも小さい場合に第１の電源１１０が異常であることを検出し、その第１の電源異常の情報を電源制御部８７に出力する。また、電圧値が下限値以上に上昇したときに第１の電源１１０の復帰を検出し、第１の電源復帰の情報を電源制御部８７に出力する。
【００３５】
第２の電源８３は、第１の電源１１０から供給される電力を変換するコンバータ、二次電池、この二次電池を充電するための充電器、及び二次電池からの電力を変換するインバータ等を備えている。
【００３６】
そして、第２の電源８３は、第１の電源１１０が正常である場合、第２の検出器８４により検出された容量が予め設定された警告残量まで減少したとき、スイッチ８５により第１の電源１１０と第２の電源８３間が閉じられて第１の電源１１０から供給される電力を利用して充電する。また、充電が終了すると、スイッチ８５により第１の電源１１０と第２の電源８３間が開放され、第１の電源１１０からの電力の供給が停止される。
【００３７】
第２の検出器８４は、第２の電源８３の容量を検出する。そして、第１の検出器８２により第１の電源異常が検出されたときの第２の電源８３の容量（充電残量）の情報を電源制御部８７に出力する。
【００３８】
切替部８６は、第１の検出器８２により第１の電源異常が検出されたとき、電源ユニット８１に電力を供給する電源を第１の電源１１０から第２の電源８３に切り替える。また、第１の検出器８２により第１の電源復帰が検出されたとき、第２の電源８３から第１の電源１１０に切り替える。
【００３９】
なお、切替部８６を廃止し、電源ユニット８１に電力を供給する電源を第２の電源８３のみとし、第１の電源１１０からの電力の供給を停止可能に第２の電源８３のみに供給するように実施してもよい。
【００４０】
電源制御部８７は、第１の検出器８２により第１の電源異常が検出されたとき、切替部８６により第１の電源１１０から第２の電源８３に切り替えさせる。また、第２の検出器８４により検出された容量が警告残量まで減少したとき、スイッチ８５を閉じさせ第２の電源８３に充電させる。また、第２の検出器８４により検出された第１の電源異常が検出されたときの充電残量の情報をシステム制御部６０に出力する。
【００４１】
分析制御部２７では、システム制御部６０から供給される第１の電源異常が検出されたときの充電残量の情報に基づいて、第１の電源１１０が異常である間、検査対象の被検試料に設定された検査項目のうちの分析部２４で測定を行わせる検査項目を決定する。そして、図４に示すように、反応容器３へ被検試料又は試薬の少なくともいずれか一方が分注された測定途中の状態にある全ての検査項目の測定を終了させるために必要な測定途中分の電力量を算出する。次いで、第１の電源異常が検出されたときの充電残量から測定途中分の電力量を差し引いて測定途中残量を求める。
【００４２】
そして、測定途中残量が警告残量よりも小さい場合、第１の電源異常が検出されたときに未着手の状態にある全ての検査項目の測定を停止させ、第２の電源８３の容量が警告残量に減少するまでの間、測定途中の状態にある検査項目の測定を続行させる。また、測定途中残量が警告残量以上である場合、図４に示すように、第１の電源異常が検出されたときに被検試料及び試薬が分注されていない未着手の状態にある全ての検査項目の測定を終了させるために必要な未着手分の電力量を算出する。次いで、測定途中残量から未着手分の電力量を差し引いて未着手残量を求める。
【００４３】
そして、未着手残量が警告残量よりも小さい場合、第２の電源８３の容量が警告残量に減少するまでの間、未着手の状態にある検査項目を、この検査項目が設定された被検試料の優先順位の高い順に測定させる。また、未着手残量が警告残量以上である場合、未着手の状態にある検査項目を、この検査項目が設定された被検試料の検査受付順に測定させる。
【００４４】
次に、表示部４２に表示される優先順位設定画面について説明する。
【００４５】
自動分析装置本体７０の分析部２４で測定が行われているとき、第１の電源１１０に停電等の異常が発生すると、第２の電源８３に切り替えられる。このため、第１の電源１１０の異常の時間が長いと、第２の電源８３の容量が不足して検査対象の被検試料に設定された全ての検査項目の測定を終了させることができない場合がある。この場合に備えて、未着手の状態にある検査項目を優先させる被検試料の優先順位を設定する。
【００４６】
図５は、表示部４２に表示された優先順位設定画面の一例を示した図である。この優先順位設定画面４４は、被検試料の優先順位を設定する「優先度の設定」の欄と、測定を停止させるタイミングを設定する「停止タイミングの設定」の欄とにより構成される。そして、操作部５０から優先順位及び停止タイミングを設定するための入力が行われると、その入力情報がシステム制御部６０の記憶回路に保存される。
【００４７】
「優先度の設定」の欄は、優先順位を設定する被検試料である「未着手検査項目を含む緊急検体」、「未着手検査項目を含む微量検体」、「未着手検査項目を含む一般検体」、「緊急検体」、「微量検体」及び「一般検体」等が表示された「種別」の欄と、「種別」の欄に表示された被検試料の優先順位を設定するためのダイアログボックス４４１乃至４４６等が表示された「優先度」の欄とにより構成される。
【００４８】
「種別」の欄に表示された「未着手検査項目を含む緊急検体」は、設定された検査項目のうちの一部の検査項目が未着手状態にある緊急試料のことである。また、「未着手検査項目を含む微量検体」は、設定された検査項目のうちの一部の検査項目が未着手状態にある微量試料のことである。また、「未着手検査項目を含む一般検体」は、設定された検査項目のうちの一部の検査項目が未着手状態にある一般試料のことである。また、「緊急検体」は、設定された全ての検査項目が未着手状態にある緊急試料のことである。また、「微量検体」は、設定された全ての検査項目が未着手状態にある微量試料のことである。また、「一般検体」は、設定された全ての検査項目が未着手状態にある一般試料のことである。
【００４９】
「優先度」の欄に、「種別」の欄に表示された「未着手検査項目を含む緊急検体」の優先順位を例えば１番に設定する選択入力が行われると、ダイアログボックス４４１に「１」が表示される。また、「未着手検査項目を含む微量検体」の優先順位を２番に設定する選択入力が行われると、ダイアログボックス４４２に「２」が表示される。また、「未着手検査項目を含む一般検体」の優先順位を３番に設定する選択入力が行われると、ダイアログボックス４４３に「３」が表示される。また、「緊急検体」の優先順位を４番に設定する選択入力が行われると、ダイアログボックス４４４に「４」が表示される。また、「微量検体」の優先順位を５番に設定する選択入力が行われると、ダイアログボックス４４５に「５」が表示される。また、「一般検体」の優先順位を６番に設定する選択入力が行われると、ダイアログボックス４４６に「６」が表示される。
【００５０】
ここでは、第１の電源異常が検出されたとき、分析部２４で測定を行わせる未着手の状態にある検査項目を、一部の検査項目が未着手状態にある緊急試料、一部の検査項目が未着手状態にある微量試料、一部の検査項目が未着手状態にある一般試料、全ての検査項目が未着手状態にある緊急試料、全ての検査項目が未着手状態にある微量試料、全ての検査項目が未着手状態にある一般試料の順に測定させる。
【００５１】
「停止タイミングの設定」の欄には、ダイアログボックス４５１が表示され、分析部２４での測定を停止させるタイミングを試料又は検査項目のいずれかに設定する。そして、例えば試料に設定する選択入力が行われると、ダイアログボックス４５１に「試料」が表示される。
【００５２】
ここでは、試料を設定することにより、第２の電源８３の容量が警告残量以下になる前に、設定された全ての検査項目の測定が終了する被検試料測定終了のタイミングで分析部２４の測定を停止させる。また、検査項目を設定することにより、第２の電源８３の容量が警告残量以下になる前に、被検試料に設定された一部の検査項目の測定が終了する検査項目測定終了のタイミングで分析部２４の測定を停止させる。
【００５３】
以下、図１乃至図８を参照して、第１の電源１１０に異常が発生し、第１の電源異常の状態における自動分析装置１００の動作の一例を説明する。
【００５４】
図６は、自動分析装置１００の動作を示したフローチャートである。  
操作部５０から電源投入が行われた後に入力された検査対象の各被検試料の識別情報及びその被検試料に設定された検査項目の情報がシステム制御部６０の記憶回路に保存されている。電源部８０の電源ユニット８１は、第１の電源１１０から供給される電力により、自動分析装置本体７０の各ユニットに電力を供給する。第１の検出器８２は、監視している電圧値が下限値より低下したとき、第１の電源異常を検出する（ステップＳ１）。
【００５５】
第１の検出器８２により第１の電源異常が検出されたとき、切替部８６は電源ユニット８１に電力を供給する電源を第１の電源１１０から第２の電源８３に切り替える（ステップＳ２）。また、第２の検出器８４は、第１の電源異常が検出されたときの第２の電源８３の容量である充電残量を検出する（ステップＳ３）。
【００５６】
ステップＳ２，Ｓ３の後、分析部２４が測定中である場合（ステップＳ４のはい）、ステップＳ５へ移行する。また、分析部２４が待機中である場合（ステップＳ４のいいえ）、出力部４０の警報部４３は、第１の電源１１０が異常であることを知らせる第１の電源異常のアラームを発生する（ステップＳ６）。その後、ステップＳ１４へ移行する。
【００５７】
ステップＳ４の「はい」の後、分析制御部２７は、充電残量に基づいて、分析部２４で測定を続行させることができるか否かを判定する。そして、充電残量が警告残量以上である場合（ステップＳ５のはい）、分析部２４で測定の続行が可能であると判定し、ステップＳ７へ移行する。また、充電残量が警告残量よりも小さい場合（ステップＳ５のいいえ）、第２の電源８３の容量が不足して分析部２４の測定の続行が不可能であると判定し、分析部２４の測定を停止させる（ステップＳ８）。
【００５８】
このように、第１の電源１１０に異常が発生したとき、充電残量が警告残量よりも大きい場合に第２の電源８３を利用して分析部２４での測定を続行させることができる。
【００５９】
ステップＳ８の後、警報部４３は、第２の電源８３の容量が不足して測定を続行させることができないことを知らせる測定容量不足のアラームを発生する（ステップＳ９）。その後、ステップＳ１６へ移行する。
【００６０】
ステップＳ５の「いいえ」の後、分析制御部２７は、第１の電源異常が検出されたときに測定途中の状態にある全ての検査項目の測定を終了させるために必要な測定途中分の電力量を算出する。そして、充電残量から測定途中分の電力量を差し引いた測定途中残量が警告残量以上である場合（ステップＳ７のはい）、ステップＳ１０へ移行する。また、測定途中残量が警告残量よりも小さい場合（ステップＳ７のいいえ）、ステップＳ１１へ移行する。
【００６１】
ステップＳ７の「はい」の後、分析制御部２７は、第１の電源異常が検出されたときに検査対象の被検試料に設定され、未着手の状態にある検査項目が設定された全ての被検試料の測定を終了させるために必要な未着手分の電力量を算出する。そして、測定途中残量から未着手分の電力量を差し引いた未着手残量が警告残量以上である場合（ステップＳ１０のはい）、ステップＳ１２へ移行する。また、未着手残量が警告残量よりも小さい場合（ステップＳ１０のいいえ）、ステップＳ１３へ移行する。
【００６２】
ステップＳ７の「いいえ」の後、分析制御部２７は、第１の電源異常が検出されたときに未着手の状態にある検査項目の測定を停止させる。そして、第２の電源８３の容量が警告残量以上である間、第１の電源異常が検出されたときに測定途中の状態にある検査項目の測定を続行させる（ステップＳ１１）。その後、ステップＳ１６へ移行する。
【００６３】
このように、第２の電源８３を利用して測定途中の状態にある検査項目の測定を続行させることにより、測定途中の状態にある検査項目測定用の被検試料や試薬の無駄を低減することができる。また、未着手の状態にある検査項目の測定を停止させることにより、未着手の状態にある検査項目測定用の被検試料及び試薬の無駄を防ぐことができる。
【００６４】
また、測定途中の状態にある検査項目の測定を続行させることにより、測定途中の状態にある一部の検査項目の測定を終了させることができるため、第１の電源１１０が復帰した後の再検査が必要な検査項目数を減らすことができる。これにより、検査の遅延を低減することができる。
【００６５】
また、測定途中の状態にある検査項目の測定を続行させることにより、測定途中の状態にある一部の検査項目の測定を終了させることができるため、一部の検査項目の測定を終了させることにより設定された全ての検査項目の測定が終了する被検試料がある場合、その被検試料に対応する被検体の診断に必要な分析データが揃うため、診断の遅延を防ぐことができる。
【００６６】
ステップＳ１０の「はい」の後、分析制御部２７は、測定途中の状態にある全ての検査項目の測定を終了させる。また、未着手の状態にある全ての検査項目を、この検査項目が設定された被検試料の検査受付順に測定させる（ステップＳ１２）。
【００６７】
このように、第２の電源８３を利用して測定途中の状態にある全ての検査項目の測定を終了させることができる。これにより、測定途中の状態にある検査項目測定用の被検試料及び試薬の無駄を防ぐことができる。また、第２の電源８３を利用して未着手の状態にある全ての検査項目の測定を終了させることができる。これにより、被検試料及び試薬の無駄を防ぐことができる。また、第１の電源異常による検査の遅延を防ぐことができる。
【００６８】
ステップＳ１０の「いいえ」の後、分析制御部２７は、測定途中の状態にある全ての検査項目の測定を終了させる。また、第２の電源８３の容量が警告残量に減少するまでの間、図５の優先順位設定画面４４に表示された被検試料の優先順位及び停止させるタイミングの情報に基づいて、未着手の状態にある検査項目を、この検査項目が設定された被検試料の優先順位の高い順に測定させる（ステップＳ１３）。その後、ステップＳ１６へ移行する。
【００６９】
このように、第１の電源異常が検出されたときに未着手の状態にある検査項目の測定を優先順位の高い被検試料の順に終了させることができる。これにより、優先順位の低い被検試料に設定された検査項目測定用の被検試料及び試薬の無駄を防ぐことができる。
【００７０】
また、優先順位の高い被検試料に設定された未着手の状態にある検査項目の測定を終了させることができるため、第１の電源１１０が復帰した後の再検査が必要な検査項目数を減らすことができる。これにより、検査の遅延を低減することができる。また、優先順位の高い被検試料に設定された未着手の状態にある検査項目の測定を終了させることにより、優先順位の高い被検試料に対応する被検体の診断の遅延を防ぐことができる。
【００７１】
ここで、未着手の状態にある検査項目を優先順位の高い順に測定させる２つの例を、図７及び図８を参照して説明する。  
図７は、未着手の状態にある検査項目を優先順位の高い順に測定させる１つめの例を説明するための図である。第１の電源異常が発生したとき、検査対象として例えば５つの一般試料Ｐ１乃至Ｐ５が、サンプルラック１８に保持された５つの試料容器１７に収容されている。そして、一般試料Ｐ１に１０種類の検査項目Ａ，Ｂ，Ｃ，Ｄ，Ｅ，Ｆ，Ｇ，Ｈ，Ｊ，Ｋが設定され、一般試料Ｐ２に１２種類の検査項目Ａ，Ｂ，Ｃ，Ｄ，Ｅ，Ｆ，Ｇ，Ｈ，Ｊ，Ｋ，Ｌ，Ｍが設定されている。また、一般試料Ｐ３に５種類の検査項目Ａ，Ｂ，Ｃ，Ｄ，Ｅが設定され、一般試料Ｐ４に３種類の検査項目Ａ，Ｂ，Ｅが設定され、一般試料Ｐ５に２種類の検査項目Ｃ，Ｄが設定されている。
【００７２】
第１の電源１１０に異常が発生したとき、一般試料Ｐ１の検査項目Ａ，Ｂ，Ｃの測定が終了して各検査項目Ａ，Ｂ，Ｃの分析データが出力部４０の表示部４２に表示され、一般試料Ｐ１の検査項目Ｄ，Ｅ，Ｆ，Ｇ，Ｈ，Ｊ，Ｋ及び一般試料Ｐ２の検査項目Ａ，Ｂ，Ｃ，Ｄ，Ｅ，Ｆ，Ｇ，Ｈ，Ｊが測定途中の状態にあり、一般試料Ｐ２の検査項目Ｋ，Ｌ，Ｍ、一般試料Ｐ３の検査項目Ａ，Ｂ，Ｃ，Ｄ，Ｅ、一般試料Ｐ４の検査項目Ａ，Ｂ，Ｅ、及び一般試料Ｐ５の検査項目Ｃ，Ｄが未着手の状態にある。
【００７３】
上記状態で、充電残量から、測定途中の一般試料Ｐ１の検査項目Ｄ，Ｅ，Ｆ，Ｇ，Ｈ，Ｊ，Ｋ及び一般試料Ｐ２の検査項目Ａ，Ｂ，Ｃ，Ｄ，Ｅ，Ｆ，Ｇ，Ｈ，Ｊの測定を終了させるために必要な測定途中分の電力量を差し引いて測定途中残量を求める。そして、測定途中残量が警告残量以上である場合、測定途中残量から、未着手の状態にある一般試料Ｐ２の検査項目Ｋ，Ｌ，Ｍ、一般試料Ｐ３の検査項目Ａ，Ｂ，Ｃ，Ｄ，Ｅ、一般試料Ｐ４の検査項目Ａ，Ｂ，Ｅ、及び一般試料Ｐ５の検査項目Ｃ，Ｄの測定を終了させるために必要な未着手分の電力量を差し引いて未着手残量を求める。
【００７４】
そして、未着手残量が警告残量以上である場合、一般試料Ｐ２乃至Ｐ５に設定された未着手状態にある全ての検査項目を、被検試料の検査受付順である一般試料Ｐ１、一般試料Ｐ２、一般試料Ｐ３、一般試料Ｐ４、一般試料Ｐ５の順に測定させる。
【００７５】
また、未着手残量が警告残量よりも小さい場合、第２の電源８３の容量が警告残量に減少するまでの間、図５の優先順位設定画面４４の「優先度の設定」に表示された被検試料の優先順位及び停止させるタイミングに基づいて、一般試料Ｐ２乃至Ｐ５に設定された未着手状態にある検査項目を、この検査項目が設定された被検試料の優先順位の高い順に測定させる。
【００７６】
ここでは、先ず第２の電源８３の容量が未着手残量から警告残量に減少するまでの間に測定を終了させることができる未着手の検査項目の数を求める。その数が例えば６である場合、優先順位が１番及び２番の一部の検査項目が未着手状態にある緊急試料及び微量試料がないため、優先順位が３番の一部の検査項目Ｋ，Ｌ，Ｍが未着手状態にある一般試料Ｐ２を１番目に測定させる。次いで、優先順位が４番及び５番の全ての検査項目が未着手状態にある緊急試料及び微量試料がないため、優先順位が６番の全ての検査項目が未着手状態にある一般試料Ｐ３，Ｐ４，Ｐ５のうち、検査依頼を受けた順である一般試料Ｐ３を２番目の候補にする。しかしながら、一般試料Ｐ３には４つの未着手の検査項目が設定されているため、設定された全ての検査項目の測定を終了させることができない。このため、一般試料Ｐ３の未着手状態にある全ての検査項目の測定を停止させる。次に、一般試料Ｐ３の次の順である一般試料Ｐ４を候補にすると、一般試料Ｐ４には３つの未着手状態の検査項目Ａ，Ｂ，Ｅが設定されているため、全ての検査項目の測定を終了させることができる。従って、一般試料Ｐ４の検査項目Ａ，Ｂ，Ｅを２番目に測定させ、一般試料Ｐ４の全ての検査項目の測定が終了する被検試料測定終了のタイミングで分析部２４の測定を停止させる。
【００７７】
なお、第２の電源８３の容量が警告残量に減少するまでの間に測定を終了させることができる未着手の検査項目の数が６である場合、優先順位設定画面４４の「停止タイミングの設定」の欄に「検査項目」が設定されていると、一般試料Ｐ３の検査項目Ｄ，Ｅ、一般検体Ｐ４の検査項目Ａ，Ｂ，Ｅ及び一般試料Ｐ５の検査項目Ｃ，Ｄの測定を停止させ、未着手状態にある一般試料Ｐ２の検査項目Ｋ,Ｌ，Ｍを１番目に測定させる。そして、２番目に測定させる一般試料Ｐ３に設定された一部の検査項目Ａ，Ｂ，Ｃの測定が終了する検査項目測定終了のタイミングで分析部２４の測定を停止させる。
【００７８】
図８は、検査対象の被検試料を優先順位の高い順に測定させる２つめの例を説明するための図である。第１の電源異常が発生したとき、検査対象としての被検試料が図７で説明した検査対象の被検試料と異なる点は、サンプルディスク５に保持される２つの試料容器１７に収容された２つの緊急試料Ｐ６及び微量試料Ｐ７が追加されている点である。そして、緊急試料Ｐ１に２種類の検査項目Ｇ，Ｈが設定され、微量試料Ｐ７に３種類の検査項目Ｅ，Ｆ，Ｇが設定されている。
【００７９】
第１の電源１１０に異常が発生したとき、一般試料Ｐ１の検査項目Ａ，Ｂ，Ｃの測定が終了して各検査項目Ａ，Ｂ，Ｃの分析データが表示部４２に表示され、一般試料Ｐ１の検査項目Ｄ，Ｅ，Ｆ，Ｇ，Ｈ，Ｊ，Ｋ及び一般試料Ｐ２の検査項目Ａ，Ｂ，Ｃ，Ｄ，Ｅ，Ｆ，Ｇ，Ｈ，Ｊが測定途中の状態にあり、一般試料Ｐ２の検査項目Ｋ，Ｌ，Ｍ、一般試料Ｐ３の検査項目Ａ，Ｂ，Ｃ，Ｄ，Ｅ、一般試料Ｐ４の検査項目Ａ，Ｂ，Ｅ、一般試料Ｐ５の検査項目Ｃ，Ｄ、緊急試料Ｐ６の検査項目Ｇ，Ｈ、及び微量試料Ｐ７の検査項目Ｇ，Ｈが未着手の状態にある。
【００８０】
上記状態で、充電残量から、測定途中の検査項目の測定を終了させるために必要な測定途中分の電力量を差し引いて求めた測定途中残量が警告残量以上である場合、測定途中残量から未着手分の電力量を差し引いて未着手残量を求め、未着手残量が警告残量以上である場合、一般試料Ｐ２乃至Ｐ５、緊急試料Ｐ６及び微量試料Ｐ７に設定された未着手の状態にある全ての検査項目を、被検試料の検査受付順である、一般試料Ｐ１、一般試料Ｐ２、一般試料Ｐ３、一般試料Ｐ４、一般試料Ｐ５、緊急試料Ｐ６、微量試料Ｐ７の順に測定させる。
【００８１】
また、未着手残量が警告残量よりも小さい場合、第２の電源８３の容量が警告残量に減少するまでの間、図５の優先順位設定画面４４の「優先度の設定」に表示された被検試料の優先順位及び停止させるタイミングに基づいて、一般試料Ｐ２乃至Ｐ５、緊急試料Ｐ６及び微量試料Ｐ７に設定された未着手の状態にある検査項目を、この検査項目が設定された被検試料の優先順位の高い順に測定させる。
【００８２】
ここでは、先ず第２の電源８３の容量が未着手残量から警告残量に減少するまでの間に測定を終了させることができる未着手の検査項目の数を求める。その数が６である場合、優先順位が１番及び２番の一部の検査項目が未着手状態にある緊急試料及び微量試料がないため、優先順位が３番の一部の検査項目Ｋ，Ｌ，Ｍが未着手状態にある一般試料Ｐ２を１番目に測定させる。次いで、優先順位が４番の全ての検査項目Ｇ，Ｈが未着手状態にある緊急試料Ｐ６を２番目に測定させる。ここで、測定を終了させることができる未着手の検査項目の数が１つになり、１つの未着手の検査項目の測定を終了させることにより全ての検査項目の測定を終了させることができる被検試料がない。このため、未着手状態にある一般試料Ｐ３，Ｐ４，Ｐ５及び微量試料Ｐ５の全ての検査項目の測定を停止させ、２番目の緊急試料Ｐ６の全ての検査項目Ｇ，Ｈの測定が終了する被検試料測定終了のタイミングで分析部２４の測定を停止させる。
【００８３】
なお、未着手残量から警告残量に減少するまでの間に測定を終了させることができる未着手の状態の検査項目の数が６である場合、優先順位設定画面４４の「停止タイミングの設定」の欄に「検査項目」が設定されていると、未着手の状態にある一般試料Ｐ３，Ｐ４，Ｐ５の全ての検査項目及び微量試料Ｐ７の検査項目Ｆ，Ｇの測定を停止させ、未着手状態にある一般試料Ｐ２の検査項目Ｋ,Ｌ，Ｍを１番目に測定させ、緊急試料Ｐ６の検査項目Ｇ，Ｈを２番に測定させる。そして、３番目に測定させる微量試料Ｐ７に設定された一部の検査項目Ｅの測定が終了する検査項目測定終了のタイミングで分析部２４の測定を停止させる。
【００８４】
このように、サンプル分注プローブ１６が吸引した試料を収容する試料容器１７以外の試料容器１７上方に位置しているタイミングで第１の電源１１０に異常が発生したとき、第２の電源８３を利用してサンプル分注プローブ１６を所定の位置へ移動させることができる。これにより、電源ユニット８１への電力の供給が停止したときの位置でサンプル分注アーム１０を停止させる停止力の低下によるサンプル分注プローブ１６の落下により、吸引した試料による試料容器１７内の試料の汚染を防ぐことができる。
【００８５】
また、第１試薬分注プローブ１４が吸引した第１試薬を収容する試薬容器６以外の試薬容器６上方に位置しているタイミングで第１の電源１１０に異常が発生したとき、第２の電源８３を利用して第１試薬分注プローブ１４を所定の位置へ移動させることができる。これにより、電源ユニット８１への電力の供給が停止したときの位置で第１試薬分注アーム８を停止させる停止力の低下による第１試薬分注プローブ１４の落下により、吸引した第１試薬による試薬容器６内の第１試薬の汚染を防ぐことができる。
【００８６】
また、第２試薬分注プローブ１５が吸引した第２試薬を収容する試薬容器７以外の試薬容器７上方に位置しているタイミングで第１の電源１１０に異常が発生したとき、第２の電源８３を利用して第２試薬分注プローブ１５を所定の位置へ移動させることができる。これにより、電源ユニット８１への電力の供給が停止したときの位置で第２試薬分注アーム９を停止させる停止力の低下による第２試薬分注プローブ１５の落下により、吸引した第２試薬による試薬容器７内の第２試薬の汚染を防ぐことができる。
【００８７】
ステップＳ６、又はステップＳ１２における分析部２４の測定動作、データ処理部３０のデータ処理動作及び出力部５０のデータ出力動作が終了した後、電源ユニット８１は、第２の電源８３の容量が警告残量以上である場合（ステップＳ１４のはい）、ステップＳ１５へ移行する。また、第２の電源８３の容量が警告残量よりも小さい場合（ステップＳ１４のいいえ）、ステップＳ１６へ移行する。
【００８８】
ステップＳ１４の「はい」の後、電源ユニット８１は、第１の電源１１０の復帰や分析部２４での次の測定に備え、電力の供給を停止した後に開始しても直ぐに測定可能な状態に立ち上げることができない分析部２４の測定部１３や恒温部２０等の一部のユニット以外のユニットへの電力の供給を停止するパワーセーブモードにする（ステップＳ１５）。その後、ステップＳ１４に戻る。
【００８９】
このように、パワーセーブモードにすることにより、第２の電源８３の電力消費を低減し、測定可能な状態に直ちに立ち上げることができる。
【００９０】
ステップＳ９，ステップＳ１１、ステップＳ１３又はステップＳ１４の「いいえ」の後、分析制御部２７は、サンプル分注プローブ１６、第１試薬分注プローブ１４及び第２試薬分注プローブ１５の各分注プローブを所定の位置で停止させる。また、分析部２４の各分注プローブ以外のユニットを所定の位置で停止させ、測定を終了させることができなかった被検試料及び検査項目の情報を保存するシャットダウン処理を行う（ステップＳ１６）。
【００９１】
なお、試薬庫１，２は断熱材で覆われ、分析部２４で測定が行われている間、試薬庫１，２への電力を停止した状態で第１及び第２試薬の保冷が可能であるため、第１の電源１１０に異常が発生したとき、試薬庫１，２への電力の供給を停止させるように実施してもよい。これにより、第１の電源１１０に異常が発生してから試薬庫１，２に供給する電力を分析部２４での測定に回し、多くの検査項目の測定を行わせることができる。
【００９２】
分析制御部２７、データ処理部３０及び出力部４０がシャットダウン処理を行った後、電源ユニット８１が自動分析装置本体７０への電力の供給を停止するシャットダウン処理を行うことにより、自動分析装置１００は動作を終了する（ステップＳ１７）。
【００９３】
以上述べた実施形態によれば、第２の電源８３を設け、第１の電源１１０に異常が発生したときの充電残量が警告残量より大きい場合、第２の電源８３を利用して分析部２４で測定を続行させることができる。そして、測定途中残量が警告残量以下である場合、第１の電源異常が検出されたときに未着手の状態にある検査項目の測定を停止させ、第２の電源８３の容量が警告残量に減少するまでの間、第１の電源異常が検出されたときに測定途中の状態にある検査項目の測定を続行させることができる。
【００９４】
これにより、測定途中の状態にある検査項目測定用の被検試料や試薬の無駄を低減することができる。また、未着手の状態にある検査項目の測定を停止させることにより、未着手の状態にある検査項目測定用の被検試料及び試薬の無駄を防ぐことができる。また、測定途中の状態にある一部の検査項目の測定を終了させることができるため、検査の遅延を低減することができる。
【００９５】
また、未着手残量が警告残量以下である場合、第１の電源異常が検出されたときに測定途中の状態にある全ての検査項目の測定を終了させることができる。また、第２の電源８３の容量が警告残量に減少するまでの間、第１の電源異常が検出されたときに未着手の状態にある検査項目の測定を優先順位の高い被検試料の順に終了させることができる。
【００９６】
これにより、測定途中の状態にある検査項目測定用の被検試料及び試薬の無駄を防ぐことができる。また、優先順位の低い被検試料に設定された検査項目測定用の被検試料及び試薬の無駄を防ぐことができる。また、測定途中の状態にある全ての検査項目及び未着手の状態にある検査項目の一部の測定を終了させることができるため、検査の遅延を低減することができる。
【００９７】
また、未着手残量が警告残量よりも大きい場合、第１の電源異常が検出されたときに測定途中の状態にある全ての検査項目の測定を終了させることができる。また、第１の電源異常が検出されたときに未着手の状態にある全ての検査項目の測定を終了させることができる。
【００９８】
これにより、測定途中の状態にある検査項目の被検試料及び試薬の無駄を防ぐことができる。また、検査の遅延を防ぐことができる。
【００９９】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１００】
３  反応容器
２４  分析部
２７  分析制御部
７０  自動分析装置本体
８０  電源部
８１  電源ユニット
８２  第１の検出器
８３  第２の電源
８４  第２の検出器
８５  スイッチ
８６  切替部
８７  電源制御部
１１０  第１の電源
【図１】
2015021831.tif 000003
【図２】
2015021831.tif 000004
【図３】
2015021831.tif 000005
【図４】
2015021831.tif 000006
【図５】
2015021831.tif 000007
【図６】
2015021831.tif 000008
【図７】
2015021831.tif 000009
【図８】
2015021831.tif 000010